(57)【要約】【課題】ドラム内に付属の乾燥棚を用いて衣類や靴などを効率よく、且つ安全で安定した状態で乾燥できるようにする。【解決手段】ドラム７内に付属の乾燥棚３５を装着するとともに、この乾燥棚３５を水平状態に配置設定することで前記ドラム７を内包する水槽６の背面側の給気口１８ａが、温風受け入れ側のドラム７に設けられ通気性を有する複数の吹込みカバー１０の一つに臨む位置合わせができる構成とし、効率よく乾燥できるようにした。【選択図】図１
2007244658.tif 000002
【特許請求の範囲】
【請求項１】
本体内に配設された水槽と、この水槽内に横軸周りに回転可能に軸支され周壁に多数の小孔を有するドラムと、このドラム内に収容した洗濯物を乾燥するため、空気を加熱する加熱手段及びこの加熱された空気を温風として前記水槽内に供給するファン装置と、前記ドラム内に着脱可能に保持された乾燥棚とを備え、前記乾燥棚を用いた乾燥運転では前記ドラムを停止して温風を供給して行なうようにしたものにおいて、
前記ドラムには、前記水槽の吹出し部からの温風を内部に受け入れる複数の開口部と、この各開口部を覆うように固定支持された通気性の吹込みカバーとを有し、このうちの一つの吹込みカバーの固定支持部に前記乾燥棚を保持可能とするとともに、この固定保持した乾燥棚を水平状態に設定したとき、前記水槽吹出し部が他の吹込みカバーの一つに臨むようにしたことを特徴とするドラム式洗濯乾燥機。
【請求項２】
加熱手段にヒートポンプ機構を採用し、このヒートポンプ機構及び水槽を介在した循環路を形成するとともに、ファン装置は前記循環路を介して温風を循環供給可能としたことを特徴とする請求項１記載のドラム式洗濯乾燥機。
【請求項３】
ドラムは、傾斜した横軸周りに軸支され、この傾斜したドラムに対し乾燥棚の載置面が水平位置に設定されることを特徴とする請求項１記載のドラム式洗濯乾燥機。
【発明の詳細な説明】
【技術分野】
【０００１】
本発明は、ドラム内に付属の乾燥棚を用いた乾燥手段を有するドラム式洗濯乾燥機に関する。
【背景技術】
【０００２】
従来、この種洗濯乾燥機としては、横軸周りに回転するドラムを備え、このドラムの周壁には多数の小孔を有し、通常の乾燥運転ではドラムを低速回転させながら乾燥用の温風を軸方向から供給し、内部に収容した洗濯物を撹拌しながら乾燥するようにしている。
このような乾燥運転に対し、傷み易い衣類とか靴などを乾燥するに有効な乾燥棚を用いた乾燥手段が提供されている。これは、付属品として用意された乾燥棚をドラム内に装着するとともに、回転するドラムに対して乾燥棚は非回転部位である、例えばドラム奥中央のフィルターカバーと、前面の洗濯物投入口の周縁との間で保持させ、以って衣類などを載置した乾燥棚をドラム内に静止状態に支持した状態で、温風を供給し乾燥を行なうようにしている（例えば、特許文献１参照）。
【特許文献１】特開２００１−２５２４９９号公報
【発明の開示】
【発明が解決しようとする課題】
【０００３】
しかしながら、上記構成では、回転するドラムに対し乾燥棚は静止状態に保たねばならない。そのために、乾燥棚を安定保持するための非回転部位を確保すべく制約されたドラム構成となり、一方乾燥棚をドラム内の奥に保持させるのは容易でないのに加え、ドラム回転では振動を伴い乾燥棚が外れたり、乾燥棚上の被乾燥物が落下したりするおそれもあり、安全性や安定支持に難があるなどの問題点を有する。
【０００４】
そこで、ドラムを停止した状態で乾燥棚を用いた乾燥運転とすることで、上記問題点を回避する提案がなされた。確かに、上記問題点は回避できたがドラム内に温風を受け入れる開口部と、その外周囲に配設された水槽側の吹出し部とが一致しない場合が生じた。この場合には、当然温風の流れが阻害されドラム内に円滑な温風供給ができず、乾燥性能が低下する問題を生じる。
【０００５】
本発明は、上記問題点を解決するために、ドラム内への温風の流れを円滑にするとともに、乾燥棚を容易に安定支持できて効率よく乾燥できるドラム式洗濯乾燥機を提供することを目的とする。
【課題を解決するための手段】
【０００６】
上記目的を達成するために、本発明のドラム式洗濯乾燥機は、本体内に配設された水槽と、この水槽内に横軸周りに回転可能に軸支され周壁に多数の小孔を有するドラムと、このドラム内に収容した洗濯物を乾燥するため、空気を加熱する加熱手段及びこの加熱された空気を温風として前記水槽内に供給するファン装置と、前記ドラム内に着脱可能に保持された乾燥棚とを備え、前記乾燥棚を用いた乾燥運転では前記ドラムを停止して温風を供給して行なうようにしたものにおいて、前記ドラムには、前記水槽側の吹出し部からの温風を内部に受け入れる複数の開口部と、この各開口部を覆うように固定支持された通気性の吹込みカバーとを有し、このうちの一つの吹込みカバーの固定支持部に前記乾燥棚を保持可能とするとともに、この固定保持した乾燥棚を水平状態に設定したとき、前記水槽吹出し部が他の吹込みカバーの一つに臨むようにしたことを特徴とするものである。
【発明の効果】
【０００７】
上記手段によれば、乾燥棚を水平状態にすることに伴いドラムが回動変位され、これにより水槽側の吹出し部が、ドラム内への受け入れ側の複数のうちの一つの開口部に臨む位置合わせができるようにした。この結果、乾燥棚の適正位置への是正と併せて温風の最適な授受が可能となり、乾燥棚の適正位置での安定支持と効率のよい乾燥効果が期待できるドラム式洗濯乾燥機を提供できる。
【発明を実施するための最良の形態】
【０００８】
以下、本発明のドラム式洗濯乾燥機の一実施例を示す、図１ないし図６を参照して説明する。
まず、洗濯乾燥機全体の概略構成につき図２の本体内を透視した斜視図、及び図３の縦断側面図に基づき説明すると、洗濯乾燥機の外殻を形成する本体１は、その前面側に洗濯物投入口２を開閉する扉３を備え、底部には支持脚４ａなどを有する台板４を具備した構成にある。この本体１内には、複数のサスペンション５により弾性支持された貯水可能な水槽６が設けられ、該水槽６内にはドラム７が前方に上昇傾斜した横軸周りに回転可能に設けられて、いずれも前記扉３及び洗濯物投入口２と対向した前面開口としている。
【０００９】
そのうち、上記ドラム７は周知のように円筒状胴部７ａに多数の小孔８、及び複数のバッフル９を設けている。そして、ドラム７の後面を形成する後端板７ｂは、後述するモータ１６の回転軸１７が直結され、大きな回転力が伝達されるため適宜の補強手段７ｃ（例えば、補強ビードや金属板の補充など）が施されている。しかして、この後端板７ｂにはドラム７内に温風を受け入れる開口部１０を複数個、例えば１２０度に等配分した位置の３箇所に形成している（図１参照）。従って、各開口部１０の具体的位置を示すには、以下符号１０ａ，１０ｂ，１０ｃを用いて説明する。
【００１０】
このように、開口部１０を３箇所に分断して設けることは、上記したように機械的強度を要する後端板７ｂ全面に、温風を受け入れる多数の開口部を設けることは強度低下を招くこととなり好ましくないことから、本実施例では楕円形状の開口部１０を３箇所に設け、これに多数の透孔４４を有する吹込みカバー１１（同様に具体的位置を示す場合には符号１１ａ，１１ｂ，１１ｃを用いる）を装着している（詳細は後述する）。尚、ドラム７の前面開口端には、環状のバランサー１２が装着されている。
【００１１】
一方、上記水槽６は、前面の開口端に内方に庇状に突出した環状の水槽カバー１３を被着しているとともに、該水槽カバー１３と一体的に形成された排気ダクト１４を設けている。この排気ダクト１４は、後述する循環路の一部を構成するもので、水槽６側に開口した排気口１４ａを有して下方に延設された構成にあって、ドラム７内の洗濯物の乾燥に寄与した後の温風を水槽６外に排気可能としている。そして、前記水槽カバー１３の先端部と前記扉３の背面及び洗濯物投入口２との間には、柔軟性に富んだベローズ１５が水密に設けられ、水槽６から外部への水の飛散等を防止するようにしている。
【００１２】
また、水槽６の背面側にはアウターロータ形のＤＣブラシレスモータからなるモータ１６が配備され、その回転軸１７は水槽６を貫通し前記ドラム７の後端板７ｂに直結され、ドラム７は所謂ダイレクトに回転駆動される。更に、この水槽６の背面には、図４の水槽背面図に示すように上記モータ１６を迂回するように給気ダクト１８が一体的に設けられ、その環状をなす先端部に温風の吹出し部としての給気口１８ａを水槽６内に開口形成している。しかして給気口１８ａは、前記ドラム７の３箇所の開口部１０といずれも臨み得る位置に設けられ、温風を給気ダクト１８を経て開口部１０からドラム７内に吹き込むようにしている。尚、水槽６の傾斜した最低部位には排水口１９が形成され、途中に排水弁２０を介して排水ホース２１が接続され、機外に排水可能としている。
【００１３】
そして、本実施例における乾燥装置として以下の構成となしている。すなわち、水槽６の下方である前記台板４上には、本実施例の加熱手段として機能するヒートポンプ機構２２と、該ヒートポンプ機構２２にて加熱した空気を温風化すべくファン装置２３を有し、該温風を水槽６及びドラム７に対し循環供給可能とする循環路２４とを具備した構成としている。しかるに、上記循環路２４は、水槽６に対して連続して給排気可能な循環経路を構成するもので、前記した水槽６を間に介して前面側に設けた前記排気ダクト１４及び背面側に設けた前記給気ダクト１８と、これら給，排気ダクト１４，１８の夫々垂下した下端側において、蛇腹状の継手２５，２６にて連結され上記ヒートポンプ機構２２が介在された熱交換ダクト２７とから構成され、以って水槽６を介して各ダクト１０，１８，２７が接続され連続した閉ループが形成され、所謂循環路２４が構成される。尚、図３，４中に示す矢印Ａは、ファン装置２３が駆動されたときの基本的な循環空気の流れを示している。
【００１４】
次に、上記ヒートポンプ機構２２につき説明すると、これは前記したように乾燥運転時に空気を加熱する加熱手段として機能するもので、周知のように冷媒が圧縮機２８により、凝縮器２９、図示しないキャピラリチューブ（絞り）、蒸発器３０の順に循環する冷凍サイクルからなる構成にあって、乾燥運転時では熱交換ダクト２７内にあって凝縮器２０にて循環空気を加熱し、これを前記ファン装置２３により温風化して給気ダクト１８を経て、水槽６及びドラム７内に吹き込み洗濯物を乾燥する。そして、乾燥に寄与した後の多くの湿気を含む空気は、前面側の排気ダクト１４から排気され熱交換ダクト２７に流入し、ここで上記蒸発器３０にて冷却除湿され、再び凝縮器２９に至り加熱されて新たな温風として再生される。従って、温風は実質的に閉ループの循環路２４を介してファン装置２３により矢印Ａ方向に循環し、水槽６及びドラム７に対して温風を給排可能としている。
【００１５】
尚、図２，３に示す本体１内上部の左側には、洗剤などの処理剤供給手段としての注水器３１が配設されている。この注水器３１には給水弁３２を介して水道に接続され、洗い時には、給水弁３２が開放動作して水道水が注水器３１内に供給され、内部の洗剤が水と共に給水ホース３３を通して水槽６内に供給される。また、図２中に示す上部右側には、制御装置３４が配設されている。この制御装置３４は、図示しない操作パネルからの操作入力に対応して、洗いから乾燥に至る運転全体を制御するもので、マイクロコンピュータを主体とした回路構成からなり、上記操作パネルからの操作信号や図示しない水位検知手段からの検知信号等を入力し、予め記憶された制御プログラムに基づき、モータ１６によるドラム７駆動、圧縮機２８による冷凍サイクル、循環用のファン装置２３、排水弁１１、及び給水弁３２などを駆動制御する。
【００１６】
上記のような、洗濯乾燥機本来の構成に対し、付属品として用意された乾燥棚を用いた乾燥手段を備えている。図５には、乾燥棚３５単体の斜視図、図６には図１のＹ−Ｙ線断面図として前記吹込みカバー１１への支持形態を拡大した断面図が開示され、先の図１，２，３にはドラム７内に乾燥棚３５を組み込み装着した使用形態を開示している。尚、図１は水槽６及びドラム７の正面図を表したもので、バランサー１２や水槽６の水槽カバー１３等を取除いて図示している。
【００１７】
まず、図５に示すように乾燥棚３５は、合成樹脂にて成形され以下に述べる形状としている。図示するように、乾燥棚３５はその中間部でヒンジ部４５にて回動可能に連結された分割構成からなり、乾燥棚３５としての使用時には上面は載置面となす矩形板状の載置部３７と、複数のスリット状の透孔３６を備えた平坦な形状をなしている。すなわち、上記ヒンジ部４５は本実施例では図示矢印Ｂ方向の下方側にのみ折り曲がる構成にあって、上方へはその合わせ面で当接して平坦面を形成し、それ以上の回動は不可とする所謂折り畳み可能な構成としている。
【００１８】
そして、上記載置部３７の長手方向の一側面の中間位置に、目印となる逆三角形状の指標３８を型成形或は印刷等にて施しており、この指標３８の機能は後述するが図２から理解できるように位置合わせ用に有効とするもので、且つその面が前面側であることも表している。また、載置部３７の４隅部近傍から下方に延設した例えば４本の脚部３９ａ，３９ｂ，３９ｃ，３９ｄを備えている。これら脚部３９ａ〜３９ｄのうち、本実施例では前面側の２本の脚部３９ａ，３９ｂは同一の長さ寸法であり、後面側の２本の脚部３９ｃ，３９ｄが同一の長さ寸法としていて、且つ後面側の２本の脚部３９ｃ，３９ｄの方が長寸としている。
【００１９】
これは、ドラム７内の使用形態を示す図３から明らかなように、乾燥棚３５はドラム７の円筒状の胴部７ａの内面に沿って、その略中央部である最低部位に装着され、しかもその内面が前方に上昇傾斜しているのに対し、載置部３７の上面たる載置面が水平状態（図１参照）となることを条件にドラム７内に安定的に装着できるようにするためである。
そして、載置部３７の後面側には前記した吹込みカバー１１に固定支持するためのボス状の突部４０を、後方に２本突出して形成しており、該突部４０は後述するようにドラム７内に係合保持するために有用としている。
【００２０】
ここで、前記吹込みカバー１１の具体構成につき図１及び図６も参照して述べると、該吹込みカバー１１は図１に示すようにドラム７の後端板７ｂに形成した開口部１０を塞ぐように、略楕円形状をなした両端部と中間位置の３箇所をねじ４１を用いて後端板７ｂに固定している。この固定支持部であるねじ止めの３箇所は、図６に示すようにドラム７内方側が窪む円筒状の凹部４２が形成され、特にその深さはねじ４１の頭部を十分に収納し更に余りある寸法に形成され、この余剰部位に前記乾燥棚３５の突部４０が挿脱可能に挿入できるようにしていて、この挿入により乾燥棚３５をドラム７内に固定保持できるようにしている。この場合、本実施例では２本の突部４０と吹込みカバー１１の両端部のねじ止め間隔のピッチ寸法を同一にしている。
【００２１】
従って、乾燥棚３５をドラム７内の適正位置に装着するには、洗濯物投入口２に対し、乾燥棚３５をヒンジ部４５で折り畳んでコンパクトにした状態でドラム７内に挿入し、内部で広げる。そして、ドラム７内の下部中央寄りの例えば吹込みカバー１１ｂに対し、そのねじ４１で固定した部位の両端部の凹部４２に、乾燥棚３５の後面側の突部４０を挿入して固定保持する。この２本の突部４０による固定支持により、乾燥棚３５は折れ曲がることなく載置部３７は平坦状に保持される。
【００２２】
しかるに、ドラム７は運転停止位置が定まっていないため、単に下部に位置する吹込みカバー１１ｂに装着したのみでは、乾燥棚３５の載置部３７の上面がドラム７の回転方向（及び反回転方向）に位置ずれした状態になることが多く、所謂上面が左右方向に傾斜した状態にある。そこで、この位置を是正するために手動操作によりドラム７を直接、或は乾燥棚３５を介して回動変位させ、乾燥棚３５を左右水平状態にしたところで操作を止めて停止する。この水平状態の目安は、乾燥棚３５の前面側に設けた指標３８が、例えば水槽６の下部中心部の水槽カバー１３に設けた正三角形の指標４３と前後方向に一致させることで容易に認識できる。一方、乾燥棚３５の前後方向における傾斜については、ドラム７内面の傾斜等に沿った長さの脚部３９ａ〜３９ｄとしていることで、その上面の前後方向については常に水平に保たれる。
【００２３】
斯くして、ドラム７内に乾燥棚３５を水平状態の適正位置に装着した状態（或は使用形態）が図１に示されている。この図１には、特にドラム７の正面図を表しているが、３箇所に等配分（１２０度）された吹込みカバー１１の一つ（吹込みカバー１１ｂ）に乾燥棚３５が係合保持されると、他の２箇所の吹込みカバー１１ａ，１１ｃは常に図示する１２０度間隔を置いた配置となる。そして、本実施例では図示右側の吹込みカバー１１ａに臨んで水槽６側の吹出し部である給気口１８ａが配置されている。
【００２４】
ところで、図１に吹込みカバー１１ａを一部切欠して示すように給気口１８ａの位置は、開口部１０ａ及び吹込みカバー１１ａと対向しているが完全には一致していない。これは、前記したように一つは後端板７ｂの十分な強度を確保（補強手段７ｃ）した上で開口部１０を設けねばならないこと、また他の一つは給気口１８ａの位置を低位置にするには限度があり、所謂洗濯水や洗剤泡が浸入するおそれがあるため、そして各吹込みカバー１１及び給気口１８ａ共に十分な送風量を確保できる開口面積を必要とするなどのため、給気口１８ａが若干上方に位置ずれしているが、温風は図中矢印Ａ方向に円滑に流れる。
【００２５】
次に、上記構成のドラム式洗濯乾燥機の作用について説明する。
洗濯乾燥機では、標準運転コースを選択設定して運転スタートした場合、周知のごとく制御装置３４によりモータ１６従ってドラム７の回転速度が制御され、洗い、すすぎ、脱水、乾燥の各行程が自動的に実行される。
そのうち、本来の乾燥行程につき概略説明すると、洗濯物を収容したドラム７は低速回転せられ洗濯物は撹拌される。ファン装置２３も回転駆動され循環路２４内の空気は矢印Ａ方向に流れ、この循環空気は加熱手段であるヒートポンプ機構２２にて加熱される。この加熱された空気は温風として、給気ダクト１８を経て水槽６の背面側から供給されドラム７内の洗濯物の水分を奪うなどして乾燥する。この乾燥に寄与した後の湿気を多量に含んだ温風は、前面側の排気ダクト１４を経て下部の熱交換ダクト２７に至り、ここで前記ヒートポンプ機構２２にて冷却除湿と加熱が行なわれ、新たな温風として再生され洗濯物の乾燥用に循環供給される。
【００２６】
因みに、ヒートポンプ機構２２の機能につき補足説明すると、図３に示すように凝縮器２９では、圧縮機２８の駆動により圧縮高温化された冷媒と熱交換されて空気が加熱される。この高温空気は、ファン装置２３により温風として給気ダクト１８を介して水槽５の背面側に開口した給気口１８ａから内部に吹出される。その温風は、低速回転するドラム７の後端板７ｂの３箇所の吹込みカバー１１を経てドラム７内部に供給される。一方、乾燥に寄与した後の温風（排気風）は、多くの湿気を含んだ空気として前面側の排気口１４ａから排気ダクト１４内に流入し、下方の熱交換ダクト２７側に移送される。
そして、当該空気は蒸発器３０で図示しないキャピラリチューブを介して膨張した冷媒と熱交換され、ここでは冷却されることで空気中の湿気が凝縮して結露し除湿される。この除湿されて乾燥した空気は、熱交換ダクト２７を流れて凝縮器２９に至り、ここで前記したように再び冷媒との熱交換により加熱され、新たな温風として再生される。従って、この繰り返しによる温風の循環供給により洗濯物の乾燥作用が行なわれる。
【００２７】
次いで、付属の乾燥棚３５を用いた乾燥作用につき説明する。まず、乾燥棚３５をドラム７内に装着する。乾燥棚３５の後面側の２箇所の突部４０を、３個の吹込みカバー１１のうち任意に例えば吹込みカバー１１ｂを選んで、その両端部に位置する固定支持部である凹部４２に挿入する。この場合、通常最下位にある吹込みカバー１１が選択され、乾燥棚３５が固定支持される。そして、この装着した状態で乾燥棚３５の載置面となる載置部３７の上面が正面からみて（図１参照）左右いずれかに傾斜している場合は、ドラム７を手動操作で回動し上面を略水平状態とする。この水平状態の位置合わせ或は目安は、乾燥棚３５の前面の指標３８と水槽６側の指標４３とが正面から見て略突合せ状態に一致したことを視認することで容易に認識できる。
【００２８】
これにより、水槽６背面の温風吹出し部である給気口１８ａが、吹込みカバー１１ａに臨む位置設定となり、且つ水平状態にある乾燥棚３５に傷み易い衣類とか、撹拌を要しない靴などの被乾燥物を載置する。この場合、乾燥棚３５の後面側はドラム７の後面たる後端板７ｂに近接しているため、載置部３７の周囲壁面として衣類などを効果的に載置保持できる。そして、図示しない操作パネルから当該乾燥コースを選択設定し、運転スタートする。制御装置３４は、ドラム６を回転駆動しない点を除いて実質的に上記乾燥行程と同様の乾燥運転が実行される。すなわち、ヒートポンプ機構２２を加熱手段とし、またファン装置２３により循環路２４を経た温風の循環供給が行なわれ、全体に矢印Ａ方向に循環する。
【００２９】
しかるに、ドラム７内への温風は給気口１８ａから吹込みカバー１１ａを主に、他の吹込みカバー１１ｂ，１１ｃからも迂回して供給され、十分な送風量を確保した状態で効率のよい乾燥作用が実行される。また、加熱手段としてのヒートポンプ機構２２によれば、熱交換による空気温度は約７０度Ｃの比較的低温度であるため、ドラム７の停止状態で、及び傷み易い衣類や靴などの被乾燥物を静止状態のもとで温風を供給する構成にあっても、耐熱的に何ら問題なく所望の乾燥運転が効果的に実現できる。
【００３０】
以上のように本実施例によれば、次のような効果を奏する。
乾燥棚３５を用いた乾燥運転では、ドラム７を停止した状態にて行なわれ、従来のドラム回転に伴う振動や騒音、及び被乾燥物の落下、延いては乾燥棚の外れなどの憂いがなく、安全で安定した乾燥運転が実現できる。
【００３１】
また、乾燥棚３５をドラム７内に装着する場合、ドラム７内に温風を受け入れる吹込みカバー１１の固定支持部を利用して係合保持できるようにした。具体的には、吹込みカバー１１の固定用のねじ４１の頭部の収納を兼ねた円筒状凹部４２に、乾燥棚３５の突部４０を挿入して係合保持するようにしたので、ねじ４１の頭部による洗濯物の損傷を回避しつつ乾燥棚３５を固定保持することができ、簡易な固定手段を提供でき着脱操作も容易にできる。しかも、本実施例では乾燥棚３５を折り畳み可能な構成としたので、ドラム７に対する挿脱時にコンパクトな形態にて容易に作業できる一方、乾燥棚３５を有効に大きくできて載置面を広くするのに有利である。
【００３２】
そして、ドラム７内に装着した乾燥棚３５を左右方向に水平状態である適正位置に設定したとき、水槽６背面側からの吹出し部である給気口１８ａが、３箇所に等配分されたうちの一つである吹込みカバー１１ａを臨む位置合わせができるようにしたので、ドラム７の停止状態、及び載置部３７上の被乾燥物が静止状態にあるにも拘らず、温風の円滑な流れによる十分な送風量が確保できて、効率のよい乾燥運転が実現できる。
【００３３】
しかも、この乾燥棚３５の水平状態の位置設定は、乾燥棚３５側に設けた目印である指標３８と、水槽６側に設けた同指標４３とが突合せ状態に一致したことに基づき容易に視認でき、ドラム７の手動による回動操作にしても容易に行なうことができる。これに対し、乾燥棚３５の前後方向における水平状態は、ドラム７が傾斜した横軸周りの形態にあっても、載置部３７から下方に延びた複数の脚部３９ａ〜３９ｄを傾斜に合わせた長さ寸法とすることで、安定した水平状態を保持でき、何ら問題なく対処できる。
【００３４】
また、本実施例では加熱手段としてヒートポンプ機構２２を採用して温風を循環供給する構成としたが、斯かるヒートポンプ機構２２による乾燥は、比較的低温（約７０度Ｃ）の乾燥作用により皺の少ない仕上がり良好な乾燥が得られる利点も有するが、更には循環路２４や乾燥棚３５などを合成樹脂製としても十分に耐熱性が得られるし、またドラム７を停止した状態で温風を供給することに対しても安全性を確保できることから、製作を容易にし及び面倒な温度制御も不要にできるなどコスト的にも有利に展開できる。
【００３５】
尚、本発明は上記し且つ図面に示した実施例に限定されることなく、例えば乾燥棚は金属製にしてもよいし、また吹込みカバーに固定する凹部も角筒状にするなど種々形状に展開可能であり、また乾燥棚の装着時の目印とした水槽側の指標は、本体側の静止部位に設けても有効である。更に乾燥棚は折り畳む構成に限らず、例えば分割した一方が他方の内側にスライド収納できる乾燥棚構成としてもよい。その他、温風は循環するタイプに限らず乾燥後の温風を機外に排気するタイプでも採用できるとともに、加熱手段としてもヒートポンプ機構に代えて電気ヒータとしてもよいなど、実施に際して本発明の要旨を逸脱しない範囲で種々変更して実施できるものである。
【図面の簡単な説明】
【００３６】
【図１】本発明の一実施例を示すドラム及び水槽の正面図
【図２】ドラム式洗濯乾燥機の本体内部を透視して示す斜視図
【図３】同洗濯乾燥機の縦断側面図
【図４】水槽の背面図
【図５】乾燥棚の斜視図
【図６】図１のＹ−Ｙ線に沿って切断し拡大して示す断面図
【符号の説明】
【００３７】
図面中、１は本体、２は洗濯物投入口、６は水槽、７はドラム、７ａは胴部、７ｂは後端板、１０（１０ａ，１０ｂ，１０ｃ）は開口部、１１（１１ａ，１１ｂ，１１ｃ）は吹込みカバー、１３は水槽カバー、１４は排気ダクト、１４ａは排気口、１８は給気ダクト、１８ａは給気口（吹出し部）、２２はヒートポンプ機構、２３はファン装置、２４は循環路、２７は熱交換ダクト、２９は凝縮器、３０は蒸発器、３５は乾燥棚、３８，４３は指標、４０は突部、及び４２は凹部（固定支持部）を示す。
【図１】
2007244658.tif 000003
【図２】
2007244658.tif 000004
【図３】
2007244658.tif 000005
【図４】
2007244658.tif 000006
【図５】
2007244658.tif 000007
【図６】
2007244658.tif 000008